(57)【要約】【課題】  溶融炉から発生する高温の溶融排ガスを効果的に減温処理することができる高温排ガス処理方法及び装置を提供すること。【解決手段】  本方法は、都市ゴミ及び／又は産業廃棄物の焼却残渣を溶融炉で溶融する際に発生する高温の溶融排ガスを、溶融排ガス減温塔９を用いて減温処理する方法であって、溶融排ガス減温塔９内に導入した上向流の溶融排ガスに随伴して、旋回流を形成するように冷却空気を冷却ガスノズル９６から供給するとともに、溶融排ガス減温塔９内の頂部中央から下向きに延びる冷却水噴霧ノズル９５から冷却水を噴霧することにより、溶融排ガスを減温処理するものである。【選択図】      図２
2006187712.tif 000002
【特許請求の範囲】
【請求項１】
都市ゴミ及び／又は産業廃棄物の焼却残渣を溶融炉で溶融する際に発生する高温排ガスを、減温装置を用いて減温処理する方法において、
減温装置内に導入した上向流の高温排ガスに随伴して、旋回流を形成するように冷却ガスを供給するとともに、減温装置内の頂部から下向きに冷却水を噴霧することにより、高温排ガスを減温処理することを特徴とする高温排ガス処理方法。
【請求項２】
都市ゴミ及び／又は産業廃棄物の焼却残渣を溶融炉で溶融する際に発生する高温排ガスを減温処理する装置において、
装置本体内に導入した上向流の高温排ガスに随伴して、旋回流を形成するように冷却ガスを供給する冷却ガスノズルと、装置本体内の頂部から下向きに冷却水を噴霧する冷却水噴霧ノズルとを備えたことを特徴とする高温排ガス処理装置。
【請求項３】
装置本体を上下に延びる円筒状に形成し、装置本体下部に高温排ガスの入口ノズルを設けるとともに、前記入口ノズルの高さ以下の部位に装置本体下部の周方向に対して傾斜させた状態で冷却ガスノズルを設けることを特徴とする請求項２記載の高温排ガス処置装置。
【請求項４】
装置本体頂部の周辺部に高温排ガスの出口ノズルを設けるとともに、装置本体頂部の中央部に冷却水噴霧ノズルを設けたことを特徴とする請求項２又は３記載の高温排ガス処理装置。
【請求項５】
冷却水噴霧ノズルは、水滴噴霧角度が９０度以下の角度となるように形成されていることを特徴とする請求項２〜４のいずれか１項に記載の高温排ガス処理装置。
【請求項６】
冷却水噴霧ノズルの先端部を、装置本体の内壁面から３０ｃｍ以上突出させていることを特徴とする請求項２〜５のいずれか１項に記載の高温排ガス処理装置。
【請求項７】
冷却水噴霧ノズルの先端部を、装置本体の内壁面から５０〜１５０ｃｍの範囲内で突出させていることを特徴とする請求項２〜５のいずれか１項に記載の高温排ガス処理装置。
【発明の詳細な説明】
【技術分野】
【０００１】
本発明は、都市ゴミ及び／又は産業廃棄物の焼却残渣を溶融炉で溶融する際に発生する高温排ガスを減温処理する方法及びその装置に関するものである。
【背景技術】
【０００２】
従来、都市ゴミ及び／又は産業廃棄物の焼却残渣を溶融炉で溶融する際に発生する１０００℃以上もの高温排ガスを減温処理する方法として、スプレーノズルによる水噴射や空気噴射等の方法が用いられている。この場合、排ガス中の有害物質であるダイオキシン類の再合成が３００〜４００℃で著しいことから、排ガスは減温装置内で２００℃以下の温度にまで冷却されることが必要である。
【０００３】
しかし、高温排ガス中には付着性のある塩類が多く含まれており、大量に水をスプレーノズルから噴射すると、未蒸発水が発生して減温装置内壁への水付着による塩類の固着が問題となる。このため、噴射した水を十分に蒸発させようとすると、減温装置が大型化するといった問題が生じてしまう。また、噴射する水が足りないと、高温排ガスが減温装置で十分に減温されないまま後段の排ガス処理設備に入り、その排ガス処理設備が損傷するといった新たな問題が生じる。そこで、例えば特許文献１では、排ガスが上昇流のとき、冷却水を上向きに供給することにより、冷却水の減温装置内面への付着を防ぐことを図っている。
【０００４】
一方、特許文献２では、空気冷却による方法を開示しており、特許文献３では、高温排ガスを旋回ベーンで旋回させつつ液噴射で冷却させる方法を開示している。
【特許文献１】特許第３２５７４６６号公報
【特許文献２】特許第３２０２４５３号公報
【特許文献３】特開平１０−２６７２５６号公報
【発明の開示】
【発明が解決しようとする課題】
【０００５】
しかし、特許文献１では、溶融炉からの高温排ガスでは、排ガス量に対する水噴射量が多量となり、その蒸発に時間がかかる。また、上昇流の排ガスが直接スプレーノズル表面にも接触しやすく、ノズル周辺のダスト固着の原因になるとともに、ノズル周辺にダストの固着が始まると、適切な粒径を保っての冷却水噴霧が困難となる。すなわち、塩類の融点近傍である７００〜８００℃の温度領域では、半溶融状態の塩類の減温装置内面及びスプレーノズル周辺への固着は非常に強く、その固着物は容易には脱落しない。しかし、水の蒸発速度の制限から、このような温度領域が生じるのは避けられない。また、減温装置の内壁に付着したダストを排出するためのダスト排出装置を備えている場合には、水噴射量が少ないと高温排ガスによりこのダスト排出装置の損傷速度が速くなる。
【０００６】
一方、特許文献２では、冷却後の排ガスが５倍以上にもなり、排ガス処理の下流工程が大型化してしまうといった問題がある。また、特許文献３では、溶融排ガスのように高温で少ない排ガスでは十分な旋回が得られず、また旋回ベーンへの塩類固着が問題となる。
【０００７】
本発明は、以上のような高温排ガス処置における課題を考慮してなされたものであり、溶融炉から発生する高温排ガスを効果的に減温処理することができ、かつ、スプレーノズル周辺や内壁面にダストが付着することなく、高温排ガスを減温処理することのできる高温排ガス処理方法及びその装置を提供するものである。
【課題を解決するための手段】
【０００８】
請求項１記載の発明は、都市ゴミ及び／又は産業廃棄物の焼却残渣を溶融炉で溶融する際に発生する高温排ガスを、減温装置を用いて減温処理する方法において、減温装置内に導入した上向流の高温排ガスに随伴して、旋回流を形成するように冷却ガスを供給するとともに、減温装置内の頂部から下向きに冷却水を噴霧することにより、高温排ガスを減温処理することを特徴とするものである。
【０００９】
請求項２記載の発明は、都市ゴミ及び／又は産業廃棄物の焼却残渣を溶融炉で溶融する際に発生する高温排ガスを減温処理する装置において、装置本体内に導入した上向流の高温排ガスに随伴して、旋回流を形成するように冷却ガスを供給する冷却ガスノズルと、装置本体内の頂部から下向きに冷却水を噴霧する冷却水噴霧ノズルとを備えたことを特徴とするものである。
【００１０】
請求項３記載の発明のように、装置本体を上下に延びる円筒状に形成し、装置本体下部に高温排ガスの入口ノズルを設けるとともに、前記入口ノズルの高さ以下の部位に装置本体下部の周方向に対して傾斜させた状態で冷却ガスノズルを設けることが好ましい。
【００１１】
請求項４記載の発明のように、装置本体頂部の周辺部に高温排ガスの出口ノズルを設けるとともに、装置本体頂部の中央部に冷却水噴霧ノズルを設けることが好ましい。
【００１２】
請求項５記載の発明のように、冷却水噴霧ノズルは、水滴噴霧角度が９０度以下の角度となるように形成されていることが好ましい。
【００１３】
請求項６記載の発明のように、冷却水噴霧ノズルの先端部を、装置本体の内壁面から３０ｃｍ以上突出させていることが好ましい。
【００１４】
請求項７記載の発明のように、冷却水噴霧ノズルの先端部を、装置本体の内壁面から５０〜１５０ｃｍの範囲内で突出させていることがより好ましい。
【発明の効果】
【００１５】
請求項１，２記載の発明によれば、減温装置に導入した上向流の高温排ガスに対して、これに随伴し、旋回流を形成するように冷却ガスが供給されるので、溶融炉からの高温排ガスのように少量で高温の排ガスに対しても、冷却ガスの旋回流によってその排ガスが旋回されるようになる。さらに冷却ガスを混合した上向流の高温排ガスと、逆向きに噴射される冷却水との強い攪拌作用によって、高温排ガスは効率的に減温処理される。
【００１６】
また、減温装置の装置本体頂部から冷却水が下向きに噴霧されるので、冷却水噴霧ノズルの先端部に排ガス中の塩類やダストが直接接触することがなくなりその冷却水噴霧ノズルの先端部に塩類等が固着しにくくなる。これにより、長時間運転しても冷却水を常に適切な状態で噴霧することができる。
【００１７】
また、冷却ガスと冷却水との両者による冷却を採用しているので、冷却ガスのみによる減温処理方法に比べて噴霧水量が少なくて済み、かつ、その噴霧水は強い攪拌作用で完全に蒸発してしまい、未蒸発水による減温装置内壁への塩類固着が発生しにくくなる。
【００１８】
その結果、減温装置の大型化が防止され、また減温装置からダストを排出するためのダスト排出装置を設けた場合でも、そのダスト排出装置が高温排ガスにより損傷するといった問題が生じなくなる。
【００１９】
請求項３記載の発明によれば、装置本体が上下に延びる円筒状に形成され、装置本体下部に高温排ガスの入口ノズルが設けられるとともに、前記入口ノズルの高さ以下の部位に装置本体下部の周方向に対して傾斜させた状態で冷却ガスノズルが設けられるので、装置本体内に導入した上向流の高温排ガスに対して、これに随伴し、旋回流を形成するように冷却ガスが供給される。
【００２０】
請求項４記載の発明によれば、装置本体頂部の周辺部に高温排ガスの出口ノズルが設けられるとともに、装置本体頂部の中央部に冷却水噴霧ノズルが設けられるので、冷却ガスを混合した上向流の高温排ガスと、逆向きに噴射される冷却水との強い攪拌作用が得られるようになる。
【００２１】
請求項５記載の発明によれば、冷却水噴霧ノズルの水滴噴霧角度を９０度以下にすることで、水噴霧流の端流が装置本体の内壁面に到達しなくなり、その内壁面に未蒸発水分を付着させずに完全蒸発させることができる結果、ダストがより付着しなくなる。これにより、高温排ガスとの混合、滞留時間が長くなり、未蒸発水による減温装置内壁への塩類固着をより一層防止することができる。
【００２２】
請求項６，７記載の発明によれば、冷却水噴霧ノズルの先端部を内壁面から３０ｃｍ以上、好ましくは５０〜１５０ｃｍ突出させることで、排ガス流の変動や偏流により水噴霧流の端流が装置本体頂部の周辺部に設けられた排ガスの出口ノズルに到達するおそれがなくなる。これにより、未蒸発水が減温された排ガスとともに後段の排ガス処理設備へ同伴することもなく、完全蒸発させて減温処置することができる。
【発明を実施するための最良の形態】
【００２３】
図１は、本発明の高温排ガス処理方法を実施する廃棄物焼却残渣の溶融処理施設の全体構成の一例を示したものである。
【００２４】
図１において、１は灰供給機、２は溶融炉としてのプラズマ溶融炉、６はスラグ冷却装置、７はスラグホッパ、９は減温装置としての溶融排ガス減温塔、１０はバグフィルタ、１１は溶融飛灰固化装置、１２は固化物バンカ、１４は溶融排ガス洗浄処理装置、１５は再加熱器、１６は誘引送風機である。
【００２５】
図１に示すように、灰供給装置１は、例えばスクリューコンベヤで、都市ゴミ及び／又は産業廃棄物の焼却残渣としての灰を定量的にプラズマ溶融炉２に供給する。
【００２６】
プラズマ溶融炉２は、前記灰をプラズマトーチ３により発生した高温プラズマによって溶融する。その溶融スラグはスラグ排出口４から抜き出され、スラグ冷却装置６の図示しない水槽を潜らせて温度を下げた後、スラグホッパ７に導かれる。このスラグホッパ７から前記低温スラグをトラック８で施設外へ搬出されて、アスファルト混合物等に有効利用される。
【００２７】
一方、プラズマ溶融炉２からの高温の溶融排ガス（高温排ガス）は、炉側部５から排出され、下流側の溶融排ガス減温塔９に導かれる。詳しくは後述するが、ここで溶融排ガスは冷却水と冷却空気と混合されることにより、その温度が下げられる。
【００２８】
そして、低温化された溶融排ガスは、後段のバグフィルタ１０で除塵され、溶融排ガス洗浄処理装置１４により脱塩、脱硫処理された後、再加熱器５を経て誘引送風機１６により外部に排出される。
【００２９】
一方、溶融排ガス減温塔９及びバグフィルタ１０からそれぞれ排出されたダストは、溶融飛灰固化装置１１で固化されて固化物バンカ１２に導かれる。この固化物バンカ１２から前記固化物をトラック１３で施設外の固化物処理場に搬出する。
【００３０】
以下、本発明の一実施形態に係る排ガス処理装置としての溶融排ガス減温塔の構成例を示す。図２は溶融排ガス減温塔の縦断面図、図３は図２における部分拡大図、図４は図２におけるＡ−Ａ線断面図、図５は図２におけるＢ−Ｂ線断面図、図６はＣ−Ｃ線断面図である。
【００３１】
図２〜図６に示すように、溶融排ガス減温塔９の塔本体（装置本体）９１は上下に延びる円筒状に形成されている。その塔本体９１下部には溶融排ガスの入口ノズル９２が設けられるとともに、前記入口ノズル９２の高さ以下の部位に塔本体９１下部の周方向に対して略同じ向きに傾斜させた状態で６本の冷却ガスノズル９６が設けられている。各冷却ガスノズル９６は、塔本体９１の周面壁を貫通して冷却空気ヘッダ９６ａに接続され、その冷却空気ヘッダ９６ａから冷却空気（冷却ガス）が供給されるようになっている。
【００３２】
また、塔本体９１頂部の周辺部１箇所に溶融排ガスの出口ノズル９３が設けられるとともに、塔本体９１頂部の中央部に１本の冷却水噴霧ノズル９５が設けられている。この冷却水噴霧ノズル９５は、塔本体９１の頂部の内壁面から下向きにノズル挿入長さＬだけ突出しており、冷却水を噴霧角度αで噴霧できるようになっている。このノズル挿入長さＬと噴霧角度αについては、後述する実験結果に基づいて設定される。
【００３３】
さらに、塔本体９１の底部には、塔本体９１の内壁に付着したダストをモータ９７ａで回転する羽根９７ｂで掻き落として集めるためのダスト掻き寄せ機（ダスト排出装置）９７が設けられるとともに、この掻き寄せたダストを排出するための排出口９４が設けられている。
【００３４】
以下、溶融排ガス減温塔９の機能について説明する。
【００３５】
高温の溶融排ガスは、まず入口ノズル９２により、図５に示すように、塔本体９１の下部から周方向の接線に沿って導入される。
【００３６】
冷却空気は、図示しない送風機を用いて、塔本体９１下部の外周に取り付けられた冷却空気ヘッダ９６ａに供給される。この冷却空気ヘッダ９６ａから適宜分散された冷却空気が、塔本体９１内に突出した６本の冷却ガスノズル９６により、図６に示すように、それぞれ塔本体９１の周方向の接線に沿って、前記溶融排ガスに随伴して旋回流を形成するように吹き込まれる。この旋回流を形成するためには、冷却空気と混合された溶融排ガスの空塔速度（溶融排ガス減温塔９の塔本体９１内の溶融排ガスと冷却空気との混合体の速度）を０．５ｍ／ｓｅｃ以上とすることが望ましい。
【００３７】
冷却空気は、前記ダスト掻き寄せ機９７の羽根９７ｂ等を冷却する役割も果たす。この冷却空気の供給量は、例えば溶融排ガスの入口ノズル９２よりも若干上部に挿入された温度計９６ｂの検出値に基づいて制御される。具体的には、冷却空気と溶融排ガスとの混合後の温度が４００〜５００℃になるように制御することにより、塔本体９１の内壁への塩類の固着が生じやすい温度領域（７００〜９００℃）を回避して、この塩類固着を防止することができる。
【００３８】
冷却空気を混合した溶融排ガスは旋回流を形成しながら上昇していわゆる旋回上昇流となり、冷却水噴霧ノズル９５により、図３，４に示すように、噴霧角度αで下向きに吹き込まれた冷却水との強い攪拌作用によって、２００℃程度まで減温される。冷却水の供給量は、例えば溶融排ガスの出口ノズル９３に設けた温度計９３ａの検出値に基づいて制御される。このとき冷却水は、排ガスと冷却空気との混合体の旋回上昇流とは逆向きに噴霧されるので、途中で完全に蒸発してしまい、装置本体９１の内面壁に到達することがない。また、噴霧された冷却水を蒸発するのに十分な滞留時間を得ることができるため、この完全蒸発に要する塔本体９１の高さを低くでき、コンパクト化できる。
【００３９】
塔本体１内で発生したダストは、ダスト掻き寄せ機９７のモータ９７ａで回転される羽根９７ｂにより掻き落とされて集められ、ダスト排出口９４より排出される。
【００４０】
以下に、本発明の実験結果を説明する。
【００４１】
このときの溶融排ガス減温塔９に入る排ガスの性状、噴霧条件等の実験条件は、表１に示すとおりである。
【００４２】
【表１】
2006187712.tif 000003
【００４３】
この実験条件等による実験結果から、以下のように、冷却水噴霧ノズル９５の最適な性能が得られた。なお、溶融排ガス減温塔９の塔本体９１内の空塔速度は、前述したように、０．５ｍ／ｓｅｃ以上としている。
【００４４】
図７は噴霧冷却水の軌跡を示す説明図であり、（ａ）は縦断面図、（ｂ）は横断面図である。ここでは溶融排ガス減温塔９の塔本体９１へのノズル挿入長さＬ＝１００ｃｍの冷却水噴霧ノズル９５を用いて、噴霧角度α＝３０°（度）で噴霧した。
【００４５】
この噴霧した冷却水は、図７（ａ）（ｂ）に示すように、溶融排ガスと冷却空気との混合体の上向流に随伴して旋回する間に当初４７μｍの水滴径が次第に減少し、塔本体９１の内壁面に付着することなく、また溶融排ガスとともに未蒸発水が後段へ同伴することもなく蒸発が完了している。
【００４６】
図８はこのときの溶融排ガス減温塔内の温度分布を示す説明図である。同図に示すように、溶融排ガス減温塔９の塔本体９１内に入った１３４４℃の溶融排ガスは、急激に３００℃程度まで冷却され、溶融排ガス減温塔９の塔本体９１の出口ノズル９３付近では２００℃まで減温されている。
【００４７】
そして、前記実験条件における冷却水噴霧ノズル９５の噴霧角度αのみを変えて実験した結果、その噴霧角度αを９０°以下の角度、好ましくは２０〜４０°の範囲内の角度とすることにより、ノズル挿入長さＬの如何にかかわらず、水噴霧流の端流が塔本体９１の側壁に到達しなくなり、その内壁面に未蒸発水分を付着させずに完全蒸発させることができる結果、ダストがより付着しなくなる。これにより、高温排ガスとの混合、滞留時間が長くなり、未蒸発水による減温装置内壁への塩類固着を防止できることが確認できた。
【００４８】
また、前記実験条件における冷却水噴霧ノズル９５のノズル挿入長さＬのみを変えて実験した結果、そのノズル挿入長さＬを、３０ｃｍ以上とし、好ましくは５０〜１５０ｃｍとすることにより、噴霧角度αの如何にかかわらず、排ガス流の変動や偏流により水噴霧流の端流が塔本体９１頂部の周辺部に設けられた溶融排ガスの出口ノズル９３に到達するおそれがなくなる。これにより、未蒸発水分が減温された溶融排ガスとともに後段の排ガス処理設備（バグフィルタ１０等）へ同伴することもなく、確実に完全蒸発させて減温処理できることが確認できた。
【００４９】
以上のように、本実施形態によれば、溶融排ガス減温塔９に導入した上向流の溶融排ガスに対して、これに随伴し、旋回流を形成するように冷却ガスノズル９６から冷却空気が供給されるので、溶融炉２から排出される溶融排ガスのように、少量で高温の排ガスに対しても、冷却空気の旋回流によってその排ガスが旋回されるようになる。さらに冷却空気を混合した上向流の溶融排ガスと、逆向きに冷却水噴霧ノズル９５から噴射される冷却水との強い攪拌作用によって、溶融排ガスは効率的に減温処理される。
【００５０】
また、溶融排ガス減温塔９の塔本体９１の頂部から冷却水が下向きに噴霧されるので、冷却水噴霧ノズル９５の先端部に溶融排ガス中の塩類やダストが直接接触することがなく、そのノズル先端に塩類等が固着しにくくなる。これにより、長時間運転しても冷却水を常に適切な状態で噴霧することができる。
【００５１】
また、冷却空気と冷却水との両者による冷却を採用しているので、冷却空気のみによる従来の減温処理方法に比べて噴霧水量が少なくて済み、かつ、その噴霧水は強い攪拌作用で完全に蒸発してしまい、未蒸発水による溶融排ガス減温塔９の塔本体９１の内周壁への塩類固着が発生しにくくなる。
【００５２】
その結果、溶融排ガス減温塔９の大型化が防止され、また溶融排ガス減温塔９内にダスト掻き寄せ機９７を設けた場合でも、そのダスト掻き寄せ機９７の羽根９７ｂ等が高温排ガスにより損傷するといった問題が生じなくなる。
【００５３】
なお、上記実施形態では、冷却ガスとして空気を用いているが、冷却効果を奏する他のガスを用いることもできる。
【００５４】
また、上記実施形態では、溶融排ガス減温塔９の塔本体９１下部の周方向に対して略同じ向きに傾斜させた状態で６本の冷却ガスノズル９６を設けたが、そのノズル形状やノズル本数はこれに限定されず、前記溶融排ガスに随伴して、旋回上昇流を形成するといった作用効果を奏する限り、さらに上向きの吹き出し角度を与えるようなノズル形状としてもよいし、ノズル本数を１〜５本、或いは７本以上設けるようにしてもよい。
【００５５】
また、上記実施形態では、溶融排ガス減温塔９の塔本体９１頂部の中央部に１本の冷却水噴霧ノズル９５を設けているが、そのノズル形状やノズル本数はこれに限定されず、前記旋回上昇流と逆向きに冷却水を噴霧するといった作用効果を奏する限り、例えば塔本体９１の側壁から前記中央部付近まで延びて下向きに屈曲するようなノズル形状としてもよいし、ノズル本数を２本以上設けるようにしてもよい。
【００５６】
また、上記実施形態では、冷却空気の供給量と冷却水の供給量とをそれぞれ温度計９３ａ，９６ｂの検出値に基づいて制御することとしたが、溶融炉２からの溶融排ガスのガス条件（温度、ガス量）が殆ど変化しない場合には、手動調整のみで足りる。
【図面の簡単な説明】
【００５７】
【図１】本発明に係る高温排ガスの処理方法が適用される廃棄物焼却残渣の溶融処置施設の全体構成図である。
【図２】溶融排ガス減温塔の縦断面図である。
【図３】図２における部分拡大図である。
【図４】図２におけるＡ−Ａ線断面図である。
【図５】図２におけるＢ−Ｂ線断面図である。
【図６】図２におけるＣ−Ｃ線断面図である。
【図７】実験による溶融排ガス減温塔内の噴霧水の軌跡を示す図である。
【図８】実験による溶融排ガス減温塔内の温度分布を示す図である。
【符号の説明】
【００５８】
１  灰供給装置
２  プラズマ溶融炉（溶融炉に相当する。）
７  スラグホッパ
９  溶融排ガス減温塔（減温装置、高温排ガス処理装置に相当する。）
９１  塔本体（装置本体に相当する。）
９２  溶融排ガスの入口ノズル
９３  溶融排ガスの出口ノズル
９４  ダスト排出口
９５  冷却水噴霧ノズル
９６  冷却ガスノズル
９７  ダスト掻き寄せ機
１０  バグフィルタ
１１  溶融飛灰固化装置
１２  固化物バンカ
１４  溶融排ガス洗浄処理装置
１５  再加熱器
１６  誘引送風機
【図１】
2006187712.tif 000004
【図２】
2006187712.tif 000005
【図３】
2006187712.tif 000006
【図４】
2006187712.tif 000007
【図５】
2006187712.tif 000008
【図６】
2006187712.tif 000009
【図７】
2006187712.tif 000010
【図８】
2006187712.tif 000011